(57)【要約】【課題】接続ケーブル全体としての絶縁性能を向上させる。【解決手段】導体２２を絶縁被覆材２３で被覆した３本の被覆電線２１と、各被覆電線２１を収容する各ノズル１６を有する端子ハウジング１１と、各ノズル１６から離間して、各被覆電線２１の外面を覆う絶縁チューブ２４と、端子ハウジング１１に取付けられるとともに、絶縁チューブ２４の外周に重複して配置され、各被覆電線２１がその内側を挿通する筒状のグロメット２５とを備える。【選択図】図１
2015139254.tif 000002
【特許請求の範囲】
【請求項１】
導体を絶縁被覆材で被覆した少なくとも１本の被覆電線と、
前記被覆電線の一端部を収容するノズルを有する端子ハウジングと、
前記ノズルから離間して、前記被覆電線の外面を覆う第１絶縁部材と、
前記端子ハウジングに取付けられるとともに、前記第１絶縁部材の外周に重複して配置され、前記被覆電線がその内側を挿通する筒状の第２絶縁部材と、を備える接続ケーブル。
【請求項２】
請求項１に記載の接続ケーブルであって、
前記第２絶縁部材の内部には、前記ノズルと、前記第１絶縁部材で覆われた前記被覆電線の一部と、が挿通する接続ケーブル。
【請求項３】
請求項２に記載の接続ケーブルであって、
前記第２絶縁部材は、その内側を挿通する前記少なくとも１本の被覆電線と共に屈曲可能である接続ケーブル。
【請求項４】
請求項２に記載の接続ケーブルであって、
前記第２絶縁部材は、その内側を挿通する前記少なくとも１本の被覆電線の経路を規定する接続ケーブル。
【請求項５】
導体を絶縁被覆材で被覆した少なくとも１本の被覆電線と、
前記被覆電線の一端側を収容する少なくとも１つの第１ノズルを有する第１端子ハウジングと、
前記被覆電線の他端側を収容する少なくとも１つの第２ノズルを有する第２端子ハウジングと、
前記第１ノズルと前記第２ノズルとから離間して、前記被覆電線の外面を覆う第１絶縁部材と、
前記第１端子ハウジングに取付けられるとともに、前記第１絶縁部材の外周に重複して配置され、前記被覆電線がその内側を挿通する筒状の第３絶縁部材と、
前記第２端子ハウジングに取付けられるとともに、前記第１絶縁部材の外周に重複して配置され、前記被覆電線がその内側を挿通する筒状の第４絶縁部材と、を備え、
前記第３絶縁部材は、その内側を挿通する前記少なくとも１本の被覆電線と共に屈曲可能であり、
前記第４絶縁部材は、その内側を挿通する前記少なくとも１本の被覆電線の経路を規定する接続ケーブル。
【請求項６】
請求項５に記載の接続ケーブルであって、
前記第３絶縁部材の内部には、前記第１ノズルと、前記第１絶縁部材で覆われた前記被覆電線の一端側の一部と、が挿通し、
前記第４絶縁部材の内部には、前記第２ノズルと、前記第１絶縁部材で覆われた前記被覆電線の他端側の一部と、が挿通する接続ケーブル。
【発明の詳細な説明】
【技術分野】
【０００１】
本発明は、接続ケーブルの構造に関する。
【背景技術】
【０００２】
電気自動車やハイブリット自動車などの電動車両では、モータとインバータユニットの間やインバータユニットとバッテリの間のように高電圧の機器間を接続するために高電圧用のワイヤ―ハーネス（接続ケーブル）が用いられている。このようなワイヤハーネスは、電磁波を放射するため、例えば、絶縁被覆された高圧電線の外側にパイプ状の導電性の保護部材を被せて電磁シールを行ったり、保護部材の上から樹脂をオーバーモールド成形してワイヤハーネスの保護を図りつつ経路規制（形状保持）を行うとともにより高い絶縁性能を確保したりすることが提案されている（例えば、特許文献１参照）。また、ケーブルの外周をコルゲートチューブで覆って電線の保護及び絶縁性の強化を図る方法が提案されている（例えば、特許文献２参照）。
【先行技術文献】
【特許文献】
【０００３】
【特許文献１】特開２０１３−９９０７４号公報
【特許文献２】特開２０１２−２４９５０６号公報
【発明の概要】
【発明が解決しようとする課題】
【０００４】
ところで、接続ケーブルは、例えば、モータとインバータ等の各機器を接続するために多くの屈曲部を有するものである。このため、接続ケーブル内部の被覆電線をチューブ等の絶縁材料で覆う場合、屈曲部により被覆電線の長さとチューブの長さとに差がでる場合がある。また、製造誤差等から被覆電線の長さとチューブの長さに差ができてしまう場合もある。一方、端子との接続の関係から、被覆電線の長さは外面のチューブよりも若干長くなるような公差で製造されることが多いので、被覆電線の端部はチューブ（絶縁材）の両端から露出してしまい、被覆電線の端部から端部まで隙間なくチューブ（絶縁材）で覆うことが困難であった。このため、チューブ（絶縁材）で覆われていない両端部分で絶縁性能が低下してしまい、接続ケーブル全体としての絶縁性が低下してしまうという問題があった。
【０００５】
本発明は、接続ケーブル全体としての絶縁性能を向上させることを目的とする。
【課題を解決するための手段】
【０００６】
本発明の接続ケーブルは、導体を絶縁被覆材で被覆した少なくとも１本の被覆電線と、前記被覆電線の一端部を収容するノズルを有する端子ハウジングと、前記ノズルから離間して、前記被覆電線の外面を覆う第１絶縁部材と、前記端子ハウジングに取付けられるとともに、前記第１絶縁部材の外周に重複して配置され、前記被覆電線がその内側を挿通する筒状の第２絶縁部材と、を備えることを特徴とする。
【０００７】
本発明の接続ケーブルにおいて、前記第２絶縁部材の内部には、前記ノズルと、前記第１絶縁部材で覆われた前記被覆電線の一部と、が挿通することとしても好適である。
【０００８】
本発明の接続ケーブルにおいて、前記第２絶縁部材は、その内側を挿通する前記少なくとも１本の被覆電線と共に屈曲可能であるし、前記第２絶縁部材は、その内側を挿通する前記少なくとも１本の被覆電線の経路を規定することとしても好適である。
【０００９】
本発明の接続ケーブルは、導体を絶縁被覆材で被覆した少なくとも１本の被覆電線と、前記被覆電線の一端側を収容する少なくとも１つの第１ノズルを有する第１端子ハウジングと、前記被覆電線の他端側を収容する少なくとも１つの第２ノズルを有する第２端子ハウジングと、前記第１ノズルと前記第２ノズルとから離間して、前記被覆電線の外面を覆う第１絶縁部材と、前記第１端子ハウジングに取付けられるとともに、前記第１絶縁部材の外周に重複して配置され、前記被覆電線がその内側を挿通する筒状の第３絶縁部材と、前記第２端子ハウジングに取付けられるとともに、前記第１絶縁部材の外周に重複して配置され、前記被覆電線がその内側を挿通する筒状の第４絶縁部材と、を備え、前記第３絶縁部材は、その内側を挿通する前記少なくとも１本の被覆電線と共に屈曲可能であり、前記第４絶縁部材は、その内側を挿通する前記少なくとも１本の被覆電線の経路を規定することを特徴とする。
【００１０】
本発明の接続ケーブルにおいて、前記第３絶縁部材の内部には、前記第１ノズルと、前記第１絶縁部材で覆われた前記被覆電線の一端側の一部と、が挿通し、前記第４絶縁部材の内部には、前記第２ノズルと、前記第１絶縁部材で覆われた前記被覆電線の他端側の一部と、が挿通することとしても好適である。
【発明の効果】
【００１１】
本発明は、接続ケーブル全体としての絶縁性能を向上させることができるという効果を奏する。
【図面の簡単な説明】
【００１２】
【図１】本発明の実施形態における接続ケーブルを示す平断面図である。
【図２】本発明の他の実施形態における接続ケーブルを示す平断面図である。
【図３】本発明の他の実施形態における接続ケーブルを示す側断面図である。
【発明を実施するための形態】
【００１３】
以下、図面を参照しながら本発明の実施形態について説明する。図１に示すように、本実施形態の接続ケーブル１００は、導体２２を絶縁被覆材２３で被覆した３本の被覆電線２１と、各被覆電線２１の導体２２が接続される端子１２を保持するコネクタ１０と、各被覆電線２１の各外面を覆う第１絶縁部材である絶縁チューブ２４と、３本の被覆電線２１の外面を覆う絶縁チューブ２４の外周に重複して配置され、３本の被覆電線２１がその内側を挿通する筒状の第２絶縁部材であるグロメット２５と、グロメット２５の外側を覆う編組シールド２６と、絶縁チューブ２４で外面が覆われた３本の被覆電線２１と編組シールド２６とが挿通する保護チューブ２７と、を備えている。
【００１４】
図１に示す様に、コネクタ１０は、金属製の端子１２と絶縁体の樹脂等で構成された端子ハウジング１１とを備えている。端子ハウジング１１には、端子１２がはめ込まれるスリット１４が設けられている端子取付部１７と、端子１２と反対側に設けられた台座１５と、台座１５に配置された３つのノズル１６とを含んでいる。端子ハウジング１１は内部に被覆電線２１を収容する３つの独立した空洞１３を有している。各空洞１３は、各ノズル１６の開口であり、各端子１２がはまり込む各スリット１４と連通している。図１に示すように、各被覆電線２１は各ノズル１６から各空洞１３の内部に差し込まれ、各被覆電線２１の各導体２２は、各空洞１３の内部で各接続部材５０によって各端子１２と接続されている。各ノズル１６に差し込まれた各被覆電線２１は、各ノズル１６から距離ｄ１だけ離間した各第１位置２８よりも各ノズル１６と反対側において第１絶縁部材である各絶縁チューブ２４でそれぞれの外面が覆われている。
【００１５】
端子ハウジング１１の台座１５の端面には、第２の絶縁部材であるグロメット２５の一端２５ａが取り付けられている。グロメット２５は、ゴム等の絶縁性を有する可撓性材料で形成されている。図１に示す様に、グロメット２５は筒状で、一端２５ａから他端２５ｂまで伸長し、３つのノズル１６と、各ノズル１６と各第１位置２８との間の絶縁チューブ２４で覆われていない３本の被覆電線２１と、各第１位置２８よりも各ノズル１６の反対側でそれぞれが絶縁チューブ２４で覆われている各被覆電線２１の各一部とがその中を挿通している。したがって、各ノズル１６と各第１位置２８との間（距離ｄ１の間）の絶縁チューブ２４で覆われていない３本の被覆電線２１の導体２２は、被覆電線２１の絶縁被覆材２３と、グロメット２５の二層の絶縁層で絶縁されており、各第１位置２８とグロメット２５の他端２５ｂとの間の被覆電線２１は、被覆電線２１の絶縁被覆材２３と、絶縁チューブ２４と、グロメット２５の三層の絶縁層で絶縁されている。
【００１６】
図１に示す様に、端子ハウジング１１の台座１５の外周には、編組シールド２６が固定バンド１８によって取り付けられている。台座１５に取り付けられた編組シールド２６の一端は、図示しない接続部材によってモータやインバータ等の端子台に設けられたグランド部に接続されている。編組シールド２６は、グロメット２５の外面を覆いながらグロメット２５の他端２５ｂを越えて伸び、各被覆電線２１を覆う絶縁チューブ２４の外側を覆って、電磁シールを行うよう構成されている。また、編組シールド２６の外側には、保護チューブ２７が被せられている。保護チューブ２７は、フレキシブルであってもよいし、樹脂成形されて接続ケーブル１００の経路を規定するようなものであってもよい。なお、接続ケーブル１００の、コネクタ１０と保護チューブ２７との間は、自由に屈曲することができる。
【００１７】
以上説明した実施形態の接続ケーブル１００は、各ノズル１６と各第１位置２８との間（距離ｄ１の間）の絶縁チューブ２４で覆われていない３本の被覆電線２１の導体２２が、被覆電線２１の絶縁被覆材２３と、グロメット２５の二層の絶縁層で絶縁されており、その他の部分の被覆電線２１は、被覆電線２１の絶縁被覆材２３と、絶縁チューブ２４と、グロメット２５の三層の絶縁層で絶縁されている。従って、接続ケーブル１００全体として必ず二層以上の絶縁層で被覆電線２１の導体２２を絶縁しているので、接続ケーブル１００全体としての絶縁性能を向上させることができる。
【００１８】
次に、図２を参照しながら本発明の他の実施形態について説明する。本実施形態の接続ケーブル２００は、先に説明した実施形態のグロメット２５に代わって、被覆電線２１の経路を規定する樹脂成形されたプロテクタ４０で全体を覆ったものである。したがって、プロテクタ４０は、第２の絶縁部材である。図１を参照して説明したのと同様の部分には同様の符号を付して説明は省略する。
【００１９】
図２に示すように、本実施形態の接続ケーブル２００のコネクタ３０は、金属製の端子３２と絶縁体の樹脂等で構成された端子ハウジング３１とを備えている。端子ハウジング３１には、端子３２がはめ込まれるスリット３４が設けられている端子取付部３７と、端子３２と反対側に設けられた台座３５と、台座３５に配置された３つのノズル３６とを含んでいる。端子ハウジング３１は内部に被覆電線２１を収容する３つの独立した空洞３３を有している。各空洞３３は、各ノズル３６の開口であり、各端子３２がはまり込む各スリット３４と連通している。図２に示すように、各被覆電線２１は各ノズル３６から各空洞３３の内部に差し込まれ、各被覆電線２１の各導体２２は、各空洞３３の内部で各接続部材５０によって各端子３２と接続されている。各ノズル３６に差し込まれた各被覆電線２１は、各ノズル３６から距離ｄ２だけ離間した各第２位置２９よりも各ノズル３６と反対側において第１絶縁部材である各絶縁チューブ２４でそれぞれの外面が覆われている。
【００２０】
端子ハウジング３１の台座３５の端面には、編組シールド２６が取り付けられている。台座３５に取り付けられた編組シールド２６の一端は、図示しない接続部材によってモータやインバータ等の端子台に設けられたグランド部に接続されている。編組シールド２６は、被覆電線２１を覆う絶縁チューブ２４の外側を覆って、電磁シールを行うよう構成されている。
【００２１】
また、端子ハウジング１１の端面には、第２の絶縁部材であるプロテクタ４０の一端４０ａが取り付けられている。プロテクタ４０は、樹脂成形によって製造された部品であり、絶縁性を有すると共に、硬く一定の形状を有している。このため、内部に保持した被覆電線２１、編組シールド２６等の経路を規定するものである。プロテクタ４０は、樹脂を一体成形した筒状のものであっても良いし、例えば、上下二つ割りの構成で、その中に被覆電線２１、編組シールド２６等を収容した後に二つの部品を筒状に組み立てるように構成してもよい。図２に示す様に、プロテクタ４０は、３つのノズル３６と、各ノズル３６と各第２位置２９との間の絶縁チューブ２４で覆われていない３本の被覆電線２１と、各第２位置２９よりも各ノズル３６の反対側でそれぞれが絶縁チューブ２４で覆われている各被覆電線２１の各一部とがその中を挿通している。したがって、各ノズル３６と各第２位置２９との間（距離ｄ２の間）の絶縁チューブ２４で覆われていない３本の被覆電線２１の導体２２は、被覆電線２１の絶縁被覆材２３と、プロテクタ４０の二層の絶縁層で絶縁されており、各第２位置２９とプロテクタ４０の他端４０ｂとの間の被覆電線２１は、被覆電線２１の絶縁被覆材２３と、絶縁チューブ２４と、プロテクタ４０の三層の絶縁層で絶縁されている。
【００２２】
以上説明した実施形態の接続ケーブル２００も先に説明した接続ケーブル１００と同様、各ノズル３６と各第２位置２９との間（距離ｄ２の間）の絶縁チューブ２４で覆われていない３本の被覆電線２１の導体２２が、被覆電線２１の絶縁被覆材２３と、プロテクタ４０の二層の絶縁層で絶縁されており、その他の部分の被覆電線２１は、被覆電線２１の絶縁被覆材２３と、絶縁チューブ２４と、プロテクタ４０の三層の絶縁層で絶縁されている。従って、接続ケーブル２００全体として必ず二層以上の絶縁層で被覆電線２１の導体２２を絶縁しているので、接続ケーブル２００全体としての絶縁性能を向上させることができる。
【００２３】
次に図３を参照しながら、本発明の他の実施形態である接続ケーブル３００について説明する。図１、図２を参照して説明したのと同様の部分には同様の符号を付して説明は省略する。本実施形態は、図１を参照して説明したコネクタ１０が取付けられた接続ケーブル１００と、図２を参照して説明したコネクタ３０が取付けられた接続ケーブル２００とを一体としたものである。また、図３（ａ）の部分は、図１を参照して説明した接続ケーブル１００の側断面を示し、図３（ｂ）の部分は、図２を参照して説明した接続ケーブル２００の側断面を示している。
【００２４】
図３に示す接続ケーブル３００は、コネクタ１０とコネクタ３０との間を接続する３本の被覆電線２１と、３本の被覆電線２１を覆い、コネクタ１０とコネクタ３０との間を接続する編組シールド２６と、編組シールド２６の外側を覆う保護チューブ２７とを含んでいる。「第１端子ハウジング」である端子ハウジング１１は、各被覆電線２１のコネクタ１０の側の各第１端部（一端側）を収容する３つの「第１ノズル」であるノズル１６を有しており、「第２端子ハウジング」である端子ハウジング３１は、各被覆電線２１のコネクタ３０の側の各第２端部（他端側）を収容する３つの「第２ノズル」であるノズル３６を有している。各ノズル１６から距離ｄ１だけ離間した各被覆電線２１の各第１端部側位置２８´と、各ノズル３６から距離ｄ２だけ離間した各被覆電線２１の各第２端部側位置２９´との間の各被覆電線２１の各外面は、第１絶縁部材である絶縁チューブ２４で覆われている。端子ハウジング１１の台座１５の端面には、筒状の「第３絶縁部材」であるグロメット２５の一端２５ａが取り付けられており、グロメット２５の他端２５ｂは、絶縁チューブ２４の外面まで延びている。つまり、グロメット２５は、３本の被覆電線２１の外面を覆う絶縁チューブ２４の外周に重複して配置されている。また、端子ハウジング３１には筒状の「第４絶縁部材」であるプロテクタ４０の一端４０ａが取り付けられ、プロテクタ４０の他端は、被覆電線２１の絶縁チューブ２４で覆われている部分まで延びている。つまり、プロテクタ４０は、３本の被覆電線２１の外面を覆う絶縁チューブ２４の外周に重複して配置されている。グロメット２５はゴム等の可撓性部材で構成されており、その内側を挿通する各被覆電線２１と共に屈曲可能である。一方、プロテクタ４０は樹脂成形などで製造された硬質のもので、その内側を挿通する各被覆電線２１の経路を図３に示す様に、９０度に屈曲した状態に規定する。
【００２５】
本実施形態は、図１、図２を参照して説明した実施形態と同様、接続ケーブル３００全体として必ず二層以上の絶縁層で被覆電線２１の導体２２を絶縁しているので、接続ケーブル３００全体としての絶縁性能を向上させることができる。
【００２６】
以上説明した実施形態では、接続ケーブル１００，２００，３００は、３本の被覆電線２１を含むものとして説明したが、接続ケーブル１００，２００，３００は１本の被覆電線２１を含むものでもよいし、４本以上の被覆電線２１を含むものであってもよい。
【００２７】
なお、本発明は以上説明した実施形態に限定されるものではなく、請求の範囲により規定されている本発明の技術的範囲ないし本質から逸脱することない全ての変更及び修正を包含するものである。
【符号の説明】
【００２８】
１０，３０  コネクタ、１１，３１  端子ハウジング、１２，３２  端子、１３，３３  空洞、１４，３４  スリット、１５，３５  台座、１６，３６  ノズル、１７，３７  端子取付部、１８  固定バンド、２１  被覆電線、２２  導体、２３  絶縁被覆材、２４  絶縁チューブ（第１絶縁部材）、２５  グロメット（第２絶縁部材、第３絶縁部材）、２５ａ，４０ａ  一端、２５ｂ，４０ｂ  他端、２６  編組シールド、２７  保護チューブ、２８  第１位置、２８´  第１端部側位置、２９  第２位置、２９´  第２端部側位置、４０  プロテクタ（第２絶縁部材、第４絶縁部材）、５０  接続部材、１００，２００，３００  接続ケーブル。
【図１】
2015139254.tif 000003
【図２】
2015139254.tif 000004
【図３】
2015139254.tif 000005